(57)【要約】【課題】揮発性物質を効率よく揮発する優れた包装体を提供すること。【解決手段】揮発性物質が封入されたガス透過性を有する袋体２０と、袋体が封入されたケース３０とを備え、ケースの少なくとも一部は、ガス透過性を有する樹脂製の壁部からなり、揮発性物質は、壁部を透過して外部に揮発する構成の揮発性物質の包装体である。【選択図】        図１
2004224382.tif 000002
【特許請求の範囲】
【請求項１】
揮発性物質が封入されたガス透過性を有する袋体と、前記袋体が封入されたケースとを備え、前記ケースの少なくとも一部は、ガス透過性を有する樹脂製の壁部からなり、前記揮発性物質は、前記壁部を透過して外部に揮発することを特徴とする揮発性物質の包装体。
【請求項２】
３０℃雰囲気下における前記揮発性物質の１日あたりの揮発量は、３．８〜２３．０ｍｇであることを特徴とする請求項１記載の揮発性物質の包装体。
【請求項３】
前記壁部は、厚さ０．３〜２．２ｍｍのポリプロピレンからなることを特徴とする請求項１又は２記載の揮発性物質の包装体。
【請求項４】
前記壁部の表面積をＸｍｍ２、前記壁部の厚さをＹｍｍとするとき、Ｘ／Ｙは６，０００〜３５，０００の範囲となることを特徴とする請求項１乃至３のいずれか記載の揮発性物質の包装体。
【請求項５】
前記揮発性物質は、アリルイソチオシアネート又はこれを含む薬剤であることを特徴とする請求項１乃至４のいずれか記載の揮発性物質の包装体。
【発明の詳細な説明】
【０００１】
【発明が属する技術分野】
本発明は、揮発性物質を徐々に揮発する包装体に関する。
【０００２】
【従来の技術】
一般に、抗菌剤や芳香剤等の揮発性物質を封入してなるとともにその揮発性物質を徐々に揮発させる袋体が知られている。袋体は、ガス透過性を有する有孔フィルム、不織布、耐水紙等のシート素材にて構成されている。例えば特許文献１及び２には、ガス透過性を有するフィルムが開示されており、特許文献３乃至５には、この種の袋体が開示されている。
【０００３】
また、このような袋体については、その使用目的に応じて様々な配置構成が提案されている。例えば特許文献６には、カーエアコンのフィルタに袋体を収納するポケットを設けて構成されたエアーフィルタが開示されている。また特許文献７には、自動車の所定の部位に取り付けるべく工夫された装置が開示されている。
【０００４】
更に、揮発性物質を揮発可能に封入する包装体としては、例えば特許文献８乃至１０にも開示されているように、樹脂製のケースを用いたものも知られている。特許文献８には、ガスの透過部を有するケースに、高分子材料に含有させたゲル状又はゾル状のアリルイソチオシアネートを収容する構成が開示されている。また特許文献９には、揮発性物質を収容するポリプロピレン製のケースの開放部に湿度感受性基材を設ける構成が開示されている。揮発性物質は、湿度感受性基材を透過して外部に揮発し、ケースの壁部を透過する量は誤差の範囲となる。更に特許文献１０には、袋体に封入する等した揮発性物質をケースに収容し、そのケースの開放部にガス透過性シートからなる蓋をする構成が開示されている。揮発性物質は、ガス透過性シートからなる蓋を透過して外部に揮発し、ケースの壁部を透過する量は誤差の範囲となる。
【０００５】
【特許文献１】特開平１０−８０９４９号公報
【特許文献２】特開平１１−９９６０１号公報
【特許文献３】特開平７−１７５０８号公報
【特許文献４】特開平１０−１０１０２２号公報
【特許文献５】特開２０００−１６７０３２号公報
【特許文献６】特公平６−７８８２１号公報
【特許文献７】特開平１０−３１５７５７号公報
【特許文献８】特開平１０−１５８１１２号公報
【特許文献９】特開２００２−６０３０２号公報
【特許文献１０】特開２００２−１８７８０４号公報
【０００６】
【発明が解決しようとする課題】
ところで、前述したように揮発性物質を封入してなる袋体は、揮発性物質を長期にわたり安定的に揮発させるものが望ましいとされる。この点、揮発性物質の揮発量は、温度の上昇と共に著しく増加してしまうため、例えばカーエアコン等の内部にこれを配置する場合は、袋体になんらかの対処が必要とされる。つまり、温度上昇の影響による揮発量の急激な増加は、揮発性物質を揮発する有効期間を無益に短縮したり、強い臭気を感じ、不快感を与える原因となる。また、湿気や水気の多い場所であれば、耐水性が重要であり、熱源が近づく可能性のある場合には耐引火性も重要である。
【０００７】
本発明は、かかる事情に鑑みてなされたものであり、その目的は、揮発性物質を効率よく揮発する優れた包装体を提供することである。
【０００８】
【課題を解決するための手段】
本願第１請求項に記載した発明は、揮発性物質が封入されたガス透過性を有する袋体と、前記袋体が封入されたケースとを備え、前記ケースの少なくとも一部は、ガス透過性を有する樹脂製の壁部からなり、前記揮発性物質は、前記壁部を透過して外部に揮発する構成の揮発性物質の包装体である。このような構成によると、揮発性物質を効率よく揮発する優れた包装体が得られる。
【０００９】
すなわち、揮発性物質が封入された袋体と、前記袋体を収納する樹脂製ケースを備えた二重構造により、おのおので揮発速度を調製できるため、揮発速度のコントロールが容易となり、揮発性物質を長期にわたり安定に揮発させることが可能となる。故に、揮発性物質を揮発する有効期間は満足に確保される。また、本発明の包装体は、揮発性物質が封入された袋体をケースが完全に覆うものであるため、耐水性や耐引火性にも非常に優れており、湿気や水気の多い場所に長期間配置する場合や周囲に熱源が近づく可能性のある場合に有利である。
【００１０】
本願第２請求項に記載した発明は、請求項１において、３０℃雰囲気下における前記揮発性物質の１日あたりの揮発量は、３．８〜２３．０ｍｇである構成の揮発性物質の包装体である。すなわち本発明の包装体は、揮発性物質を効率よく揮発するものであり、特に、揮発性物質の１日あたりの揮発量が３．８〜２３．０ｍｇの包装体として、極めて好適に利用することが可能である。
【００１１】
本願第３請求項に記載した発明は、請求項１又は２において、前記壁部は、厚さ０．３〜２．２ｍｍのポリプロピレンからなる構成の揮発性物質の包装体である。すなわち本発明は、ケースの素材としてポリプロピレンを採用するとともに、その厚さを０．３〜２．２ｍｍに設定してなる包装体である。かかる厚さは、ポリプロピレンのガス透過性及び成形性等を考慮しつつ設定された極めて実用的な範囲となっている。
【００１２】
本願第４請求項に記載した発明は、請求項１乃至３のいずれかにおいて、前記壁部の表面積をＸｍｍ２、前記壁部の厚さをＹｍｍとするとき、Ｘ／Ｙは６，０００〜３５，０００の範囲となる構成の揮発性物質の包装体である。揮発性物質の揮発量は、ケースの壁部の厚さとケースの表面積とに依存する。具体的には、ケースの壁部が厚くなると揮発量は減少し、薄くなると揮発量は増加する。また、ケースの表面積が広くなると揮発量は増加し、狭くなると揮発量は減少する。すなわち本発明の包装体は、ケースの壁部の厚さとケースの表面積との関係に着眼し、それらの関係をバランスよく設定してなる揮発性物質の包装体である。
【００１３】
本願第５請求項に記載した発明は、請求項１乃至４のいずれかにおいて、前記揮発性物質は、アリルイソチオシアネート（以下、ＡＩＴと称する）又はこれを含む薬剤である構成の揮発性物質の包装体である。すなわち本発明の包装体は、揮発性物質を効率よく揮発するものであり、特に、ＡＩＴ又はこれを含む薬剤を揮発する包装体として、極めて好適に利用することが可能である。
【００１４】
【発明の実施の形態】
以下に、本発明の具体例を図面に基づいて説明する。図１乃至図２に示す本例の揮発性物質の包装体１は、揮発性物質が封入されたガス透過性を有する袋体２０と、袋体２０が封入されたケース３０とを備えたものである。かかるケース３０は、その全体がガス透過性を有する樹脂製の壁部からなり、揮発性物質は、ケース３０の壁部を透過して外部に揮発する構成となっている。尚、ケース３０の内部には、必要に応じて所定の袋体２０が必要数封入される（図例では２つ）。また、袋体の材質としては特に限定されないが、ポリエチレン、無延伸ポリプロピレン、ニ軸延伸ポリプロピレン、ポリエチレンテレフタレート等のプラスチックフィルムがあげられ、これらを単独、又は複数ラミネートして使用することができる。また、製袋作業効率を向上させるため前記材質に、不織布、紙等をラミネートしたものを使用してもよい。
【００１５】
本例のケース３０は、袋体２０を収納するケース部材３１の開口を蓋部材３２にて閉鎖してなるものである。ケース部材３１及び蓋部材３２は、それぞれポリプロピレンを素材とした射出成形部材であり、揮発性物質を透過する壁部の厚さは、０．３〜２．２ｍｍとなっている。
【００１６】
尚、かかるケース３０は、内部が目視可能な透明又は半透明のものを図例したが、或いはポリプロピレンにタクルを混入してこれを白濁色にしたり、顔料等を入れて任意の色に着色したりすることも可能である。
【００１７】
また、ケース部材３１及び蓋部材３２は、超音波溶着にて接合され、それらを接合した後は、水没試験にて袋体の封入状態を検査する。
【００１８】
袋体２０に封入された揮発性物質は、抗菌剤たるＡＩＴ又はこれを含む薬剤であり、一旦ケース３０の内部に揮発した後、ケース３０の壁部を透過して徐々に外部にもたらされる。
【００１９】
本例の場合、３０℃雰囲気下における揮発性物質の１日あたりの揮発量は、３．８〜２３．０ｍｇである。また、ケース３０の表面積をＸｍｍ２、ケース３０の壁部の厚さをＹｍｍとするとき、Ｘ／Ｙは６，０００〜３５，０００の範囲となっている。
【００２０】
本例の揮発性物質の包装体１は、ＡＩＴを徐々に揮発することによって、その周辺を抗菌するものである。周辺の空気のＡＩＴ濃度は、５〜１０ｐｐｍ程度が望ましい。この包装体１は、エアコン、空気清浄機、洗濯機等の各種装置の内部に配置して使用される。また、台所、押し入れ、トイレ、風呂、洗面所等に配置して使用することも可能である。特に、湿気や水気にも強いという利点があり、汎用性にも優れている。
【００２１】
本願発明者は、本例の包装体１による抗菌効果を詳細に確めるべく、条件が異なる複数の包装体１をそれぞれ自動車のエアコン内部に配置し、以下のデータを採取した。
【００２２】
先ず、壁部の厚さがそれぞれ異なる複数のケース３０を用意し、各ケース３０について異なる雰囲気温度における１日あたりの揮発量を測定した。各ケース３０は、表面積が７５００ｍｍ２であるとともに壁部の厚さがそれぞれ０．５ｍｍ、１．０ｍｍ、１．５ｍｍ、２．０ｍｍとなっている。図３には、その測定結果を示す。また、各ケース３０に封入した袋体２０は、４０μｍニ軸延伸ポリプロピレンフィルムと３０μｍポリエチレンフィルムの積層体からなる表面積６２００ｍｍ２のものである。図３には、かかる袋体２０をケース３０に封入しなかった場合の揮散量の測定結果を比較対象として示しておく。同測定結果を考慮すると、エアコン内部に配置する包装体１は、１日あたりの揮発量と雰囲気温度との関係から、表面積が７５００ｍｍ２程度であれば、ケース３０の壁部の厚さが０．５〜１．０ｍｍのものが最適であると考えられる。
【００２３】
次に、壁部の厚さが０．５ｍｍのものであって、表面積がそれぞれ異なる複数のケース３０を用意し、各ケース３０について周辺のＡＩＴ濃度の経時変化を測定した。各ケース３０は、表面積がそれぞれ２，０００ｍｍ２、４，０００ｍｍ２、６，０００ｍｍ２、８，０００ｍｍ２となっている。図４には、その測定結果を示す。同測定結果を考慮すると、ケース３０の壁部の厚さが０．５ｍｍの場は、ＡＩＴ濃度の関係から、ケース３０の表面積は４，０００ｍｍ２以上が好ましいと考えられる。
【００２４】
また同様に、壁部の厚さが１．０ｍｍのものであって、表面積がそれぞれ異なる複数のケース３０を用意し、各ケース３０について周辺のＡＩＴ濃度の計時変化を測定した。各ケース３０は、表面積がそれぞれ４，０００ｍｍ２、６，０００ｍｍ２、８，０００ｍｍ２、１０，０００ｍｍ２となっている。図５には、その測定結果を示す。同測定結果を考慮すると、ケース３０の壁部の厚さが１．０ｍｍの場は、ＡＩＴ濃度の関係から、ケース３０の表面積は８，０００ｍｍ２以上が好ましいと考えられる。
【００２５】
更に本願発明者は、季節による温度変化を踏まえ、揮発性物質の年間揮発量を測定した。とりわけ夏場は、微生物の繁殖が活発化する傾向にあるため、抗菌能力を十分に確保するは、ＡＩＴの１日あたりの揮発量が他の季節よりも多く必要となる。図６には、その測定結果を示す。使用した包装体１は、ケース３０の壁部の厚さが０．５ｍｍであるとともに、ケース３０の表面積が８，０００ｍｍ２のものである。この包装体１は、年間を通じて良好な揮発量が確保されるものであり、年間の総揮発量は、多少の誤差を考慮すると、約２，６００〜３，０００ｍｇの間となっている。
【００２６】
また、かかる包装体１を内部に配置したエアコン（抗菌剤あり）のドレン水内の微生物数と、配置していないエアコン（抗菌剤なし）のドレン水内の微生物数とをそれぞれ測定し、比較した。図７には、その測定結果を示す。同図からも明らかなように、本例の包装体１を配置した場合は、微生物数は著しく減少しており、エアコンの抗菌が極めて有効になされていることが確認された。
【００２７】
次に、ケース３０の表面積Ｘｍｍ２、ケース３０の壁部の厚さＹｍｍ、及び揮発性物質の揮発量の関係について説明する。表１は、壁部の厚さＹが０．５ｍｍ及び１．０ｍｍにおける各表面積Ｘ毎の揮発量の測定値を示したものである。また表２は、表１の測定値をＸ／Ｙに対する揮発量として示したものである。更に図８には、かかる測定値をグラフ化して表示する。
【００２８】
【表１】
2004224382.tif 000003
【００２９】
【表２】
2004224382.tif 000004
【００３０】
図８からも解るように、揮発性抗菌剤の揮発量は、Ｘ／Ｙにほぼ比例する。一般に、体積１００Ｌ程度の小型自動車用のＨＶＡＣユニットでは、１日５．０ｍｇ前後の揮発量が必要である。そして、これより小型の軽自動車等を考慮すると、自動車に適した揮発量の範囲の下限は、１日約３．８ｍｇと考えられる。また、ＭクラスやＬクラスの自動車となると、揮発性抗菌剤の揮発量もより多く必要であり、自動車に適した揮発量の範囲の上限は、１日約１７．０ｍｇと考えられる。すなわち、Ｘ／Ｙの実用的な範囲は、６，０００〜３５，０００であり、特にこのような包装体１を自動車のエアコンの抗菌に利用する場合、Ｘ／Ｙのより好ましい範囲は６，０００〜２５，０００となる。尚、壁部の厚さが一定でない場合は、Ｘ／Ｙは壁部の厚さの全体平均をＸとして算出する。
【００３１】
【発明の効果】
以上説明したように、本発明は、揮発性物質が封入されたガス透過性を有する袋体と、前記袋体が封入されたケースとを備え、前記ケースの少なくとも一部は、ガス透過性を有する樹脂製の壁部からなり、前記揮発性物質は、前記壁部を透過して外部に揮発する構成の揮発性物質の包装体である。このような構成によると、揮発性物質を効率よく揮発する優れた包装体を得ることができる。
【図面の簡単な説明】
【図１】本発明の具体例に係り、揮発性物質の包装体を示す斜視図である。
【図２】本発明の具体例に係り、揮発性物質の包装体を示す分解斜視図である。
【図３】本発明の具体例に係り、揮発性物質の揮発量特性グラフである。
【図４】本発明の具体例に係り、エアコン内部における揮発性物質の濃度特性グラフである。
【図５】本発明の具体例に係り、エアコン内部における揮発性物質の濃度特性グラフである。
【図６】本発明の具体例に係り、揮発性物質の年間揮発量を示す説明図である。
【図７】本発明の具体例に係り、ドレン水内の微生物数の測定結果を表すグラフである。
【図８】本発明の具体例に係り、Ｘ／Ｙに対する揮発性物質の揮発量特性グラフである。
【符号の説明】
１      揮発性物質の包装体
２０      袋体
３０      ケース
３１      ケース部材
３２      蓋部材
【図１】
2004224382.tif 000005
【図２】
2004224382.tif 000006
【図３】
2004224382.tif 000007
【図４】
2004224382.tif 000008
【図５】
2004224382.tif 000009
【図６】
2004224382.tif 000010
【図７】
2004224382.tif 000011
【図８】
2004224382.tif 000012